(57)【特許請求の範囲】
【請求項１】
玄関子機（１）とボイススイッチ（３３）を用いて室内親機（３）とでハンズフリードアホンとして拡声状態で通話するインターホン装置であって、前記室内親機に、前記玄関子機と前記ボイススイッチ間の通話路を切替える通話路切替スイッチ（３２）および前記通話路切替スイッチに接続された親機モジュラージャック（４１）を設け、
前記親機モジュラージャックに接続可能な送受話器モジュラージャック（５６）を有し、前記玄関子機と通話するためのハイブリット回路（５３）、前記通話に入るためのフックスイッチ（５４）および前記フックスイッチの切替え動作を検出するための検出回路（５５）を内蔵した送受話器（５）を備え、
前記親機モジュラージャック、送受話器モジュラージャックにより前記送受話器が前記室内親機に接続され、前記送受話器への電源供給により動作する前記検出回路が前記フックスイッチのフックアップを検出したとき、前記玄関子機を前記ボイススイッチ側から前記親機モジュラージャック側に通話路が切替えられるように前記通話路切替スイッチを制御する室内親機ＣＰＵ（３９）を備えたことを特徴とするインターホン装置。
【発明の詳細な説明】
【０００１】
【発明の属する技術分野】
本発明は、インターホン装置に係わり、特に、ハンズフリードアホンとして拡声状態で通話するインターホン装置に、送受話器を後付けし得るインターホン装置に関する。
【０００２】
【従来の技術】
従来から、この種のインターホン装置としては、図２に示すようなものが知られている。
【０００３】
同図において、従来のインターホン装置は、玄関に設置される玄関子機１０と、室内に設置される室内親機３０とを備えており、玄関子機１０は、幹線Ｌ１０を介して室内親機３０に接続されている。
【０００４】
玄関子機１０は、子機スピーカ１１０、子機マイク１２０、子機ハイブリット回路１３０、呼出ボタン１４０および子機呼出検出回路１５０の各部で構成されており、子機スピーカ１１０および子機マイク１２０は、子機ハイブリット回路１３０を介して幹線Ｌ１０に接続され、また、呼出ボタン１４０は、子機呼出検出回路１５０を介して幹線Ｌ１０に接続されている。
【０００５】
室内親機３０は、電源供給回路３１０、通話路切替スイッチ３２０、親機ハイブリット回路３４０と比較器３５０とで構成されるボイススイッチ３３０、親機スピーカ３６０、親機マイク３７０、親機呼出検出回路３８０、室内親機ＣＰＵ３９０および親機通話ボタン４００の各部で構成されている。ここで、ボイススイッチ３３０は、玄関子機１０と拡声状態で通話する際に送話音の信号レベルと受話音の信号レベルとを比較して、送話状態若しくは受話状態を切替える機能を備えている。しかして、室内親機ＣＰＵ３９０は、通話路切替スイッチ３２０、ボイススイッチ３３０を構成する親機ハイブリット回路３４０、親機呼出検出回路３８０および親機通話ボタン４００に接続され、親機ハイブリット回路３４０には、ボイススイッチ３３０を構成する比較器３５０を介して親機スピーカ３６０および親機マイク３７０が接続されている。また、幹線Ｌ１０は、電源供給回路３１０、通話路切替スイッチ３２０および親機呼出検出回路３８０に接続され、通話路切替スイッチ３２０にはボイススイッチ３３０を構成する親機ハイブリット回路３４０が接続されている。
【０００６】
次に、このように構成されたインターホン装置の動作について説明する。
【０００７】
先ず、待受状態においては、電源供給回路３１０から幹線Ｌ１０を介して玄関子機１０の各部（回路）に電源が供給されている。また、室内親機３０の各部（回路）には、電源供給部（不図示）から電源が供給されている。
【０００８】
しかして、来訪者が呼出ボタン１４０を押下すると、子機呼出検出回路１５０から呼出検出信号が出力され、この呼出検出信号が幹線Ｌ１０を介して室内親機３０の親機呼出検出回路３８０へ送出される。そして、かかる呼出検出信号が室内親機ＣＰＵ３９０で検出されると、室内親機ＣＰＵ３９０から呼出信号が出力され、この呼出信号がボイススイッチ３３０を介して親機スピーカ３６０へ送出される。これにより、親機スピーカ３６０から呼出音が鳴動する。
【０００９】
ここで、親機スピーカ３６０から鳴動する呼出音により、来訪者からの呼出しを確認した室内の居住者が親機通話ボタン４００を押下すると、室内親機ＣＰＵ３９０から切替信号が出力され、この切替信号が通話路切替スイッチ３２０へ送出され、この切替信号に基づいて通話路切替スイッチ３２０がボイススイッチ３３０側に接続される。
【００１０】
これにより、幹線Ｌ１０を介して、親機スピーカ３６０および親機マイク３７０と子機スピーカ１１０および子機マイク１２０間で通話路が形成され、ボイススイッチ３３０を用いた自動交互通話による拡声通話が成立する。
【００１１】
【発明が解決しようとする課題】
このように、従来のインターホン装置においては、ハンズフリードアホンとして拡声状態で玄関子機と室内親機間の通話が可能であるものの、占有スペースの制限等から室内親機の前面に家具類を設置した場合においては、室内親機との距離が離れるため、ハンズフリードアホンとして拡声状態で通話するのに困難を生じ、また、室内の居住者が高齢により難聴になった場合においては、来訪者の音声の聞き取りが困難になる等の難点があった。このため、ハンズフリードアホンとして拡声状態で通話するインターホン装置においては、インターホン装置を買い換えなければならないという難点があった。
【００１２】
本発明は、このような難点を解決するためになされたもので、ハンズフリードアホンとして拡声状態で通話するインターホン装置に、送受話器を後付けし得るように構成することにより、ハンズフリードアホンとして拡声状態で通話する機能と送受話器で通話する機能とを兼備するインターホン装置を提供することを目的とする。
【００１３】
【課題を解決するための手段】
上記の目的を達成するため、本発明によるインターホン装置は、玄関子機とボイススイッチを用いて室内親機とでハンズフリードアホンとして拡声状態で通話するインターホン装置であって、室内親機に、玄関子機とボイススイッチ間の通話路を切替える通話路切替スイッチおよび通話路切替スイッチに接続された親機モジュラージャックを設け、親機モジュラージャックに接続可能な送受話器モジュラージャックを有し、玄関子機と通話するためのハイブリット回路、通話に入るためのフックスイッチおよびフックスイッチの切替え動作を検出するための検出回路を内蔵した送受話器を備え、親機モジュラージャック、送受話器モジュラージャックにより送受話器が室内親機に接続され、送受話器への電源供給により動作する検出回路がフックスイッチのフックアップを検出したとき、玄関子機をボイススイッチ側から親機モジュラージャック側に通話路が切替えられるように通話路切替スイッチを制御する室内親機ＣＰＵを備えたことを特徴としている。
【００１４】
本発明のインターホン装置によれば、ハンズフリードアホンとして拡声状態で通話するインターホン装置に、送受話器を後付けすることができることから、占有スペースの制限等から室内親機の前面に家具類を設置した場合や室内の居住者が高齢により難聴になった場合等においても、送受話器を取上げることで来訪者の音声を容易に聞き取ることができる。
【００１５】
【発明の実施の形態】
以下、本発明のインターホン装置を適用した好ましい実施の形態例について、図面を参照して詳述する。
【００１６】
図1は、本発明のインターホン装置のブロック図を示している。同図において、本発明におけるインターホン装置は、玄関に設置される玄関子機１と、室内に設置される室内親機３と、室内親機３に接続可能な送受話器５とを備えており、玄関子機１は、幹線Ｌ１を介して室内親機３に接続され、この室内親機３には、カールコードＬ２を介して送受話器５が着脱自在に接続されている。
【００１７】
玄関子機１は、子機スピーカ１１、子機マイク１２、子機ハイブリット回路１３、呼出ボタン１４および子機呼出検出回路１５の各部で構成されており、子機スピーカ１１および子機マイク１２は、子機ハイブリット回路１３を介して幹線Ｌ１に接続され、また、呼出ボタン１４は、子機呼出検出回路１５を介して幹線Ｌ１に接続されている。
【００１８】
室内親機３は、電源供給回路３１、第１、第２の端子３２ａ、３２ｂを有する通話路切替スイッチ３２、親機ハイブリット回路３４と比較器３５とで構成されるボイススイッチ３３、親機スピーカ３６、親機マイク３７、親機呼出検出回路３８、室内親機ＣＰＵ３９、親機通話ボタン４０および親機モジュラージャック４１の各部で構成されている。ここで、ボイススイッチ３３は、玄関子機１と拡声状態で通話する際に送話音の信号レベルと受話音の信号レベルとを比較して、送話状態若しくは受話状態を切替える機能を備えている。しかして、室内親機ＣＰＵ３９は、通話路切替スイッチ３２、ボイススイッチ３３を構成する親機ハイブリット回路３４、親機呼出検出回路３８、親機通話ボタン４０および親機モジュラージャック４１に接続され、親機ハイブリット回路３４には、ボイススイッチ３３を構成する比較器３５を介して親機スピーカ３６および親機マイク３７が接続されている。また、幹線Ｌ１は、電源供給回路３１、通話路切替スイッチ３２および親機呼出検出回路３８に接続され、通話路切替スイッチ３２を構成する第１の端子３２ａにはボイススイッチ３３を構成する親機ハイブリット回路３４が、第２の端子３２ｂには親機モジュラージャック４１がそれぞれ接続されている。
【００１９】
送受話器５は、送受話器スピーカ５１、送受話器マイク５２、送受話器ハイブリット回路５３、フックスイッチ５４、送受話器検出回路５５および送受話器モジュラージャック５６の各部で構成されている。ここで、送受話器スピーカ５１および送受話器マイク５２は、送受話器ハイブリット回路５３を介して送受話器モジュラージャック５６に接続され、また、フックスイッチ５４は、送受話器検出回路５５を介して送受話器モジュラージャック５６に接続されている。
【００２０】
次に、このように構成された本発明のインターホン装置の動作について説明する。なお、玄関子機１とボイススイッチ３３を用いて室内親機３とでハンズフリードアホンとして拡声状態で通話する点は、従来におけるインターホン装置と同様であることから詳細な説明を省略し、ここでは、室内親機３の親機モジュラージャック４１と送受話器５の送受話器モジュラージャック５６間にカールコードＬ２を接続した場合における動作を中心にして説明する。
【００２１】
先ず第一の実施例では、親機モジュラージャック４１と送受話器モジュラージャック５６間にカールコードＬ２が接続されると、接続信号が室内親機ＣＰＵ３９へ送出され、この接続信号が室内親機ＣＰＵ３９で検出されると、室内親機ＣＰＵ３９の制御により、室内親機３の各部（回路）に電源を供給している電源供給部（不図示）からカールコードＬ２を介して送受話器検出回路５５へ電源が供給されると同時に室内親機ＣＰＵ３９から切替信号が出力され、この切替信号が通話路切替スイッチ３２へ送出され、この切替信号に基づいて通話路切替スイッチ３２が第２の端子３２ｂ側、すなわち親機モジュラージャック４１側に接続される。
【００２２】
しかして、この状態で、来訪者が呼出ボタン１４を押下すると、子機呼出検出回路１５から呼出検出信号が出力され、この呼出検出信号が幹線Ｌ１を介して室内親機３の親機呼出検出回路３８へ送出される。そして、かかる呼出検出信号が室内親機ＣＰＵ３９で検出されると、室内親機ＣＰＵ３９から呼出信号が出力され、この呼出信号がボイススイッチ３２を介して親機スピーカ３６へ送出され、これにより、親機スピーカ３６から呼出音が鳴動する。
【００２３】
ここで、親機スピーカ３６から鳴動する呼出音により、来訪者からの呼出しを確認した室内の居住者が送受話器５を取上げると、フックスイッチ５４が切替えられ、電源供給回路３１からカールコードＬ２を介して送受話器５の送受話器ハイブリット回路５３、送受話器スピーカ５１および送受話器マイク５２に電源が供給され通話を行なう。これにより送受話器通話を行なうことができる。
【００２４】
次に第２の実施例では、親機モジュラージャック４１と送受話器モジュラージャック５６間にカールコードＬ２が接続されると、接続信号が室内親機ＣＰＵ３９へ送出され、この接続信号が室内親機ＣＰＵ３９で検出されると、室内親機ＣＰＵ３９の制御により、室内親機３の各部（回路）に電源を供給している電源供給部（不図示）からカールコードＬ２を介して送受話器検出回路５５へ電源が供給される。
【００２５】
しかして、この状態で、来訪者が呼出ボタン１４を押下すると、子機呼出検出回路１５から呼出検出信号が出力され、この呼出検出信号が幹線Ｌ１を介して室内親機３の親機呼出検出回路３８へ送出される。そして、かかる呼出検出信号が室内親機ＣＰＵ３９で検出されると、室内親機ＣＰＵ３９から呼出信号が出力され、この呼出信号がボイススイッチ３２を介して親機スピーカ３６へ送出され、これにより、親機スピーカ３６から呼出音が鳴動する。
【００２６】
ここで、親機スピーカ３６から鳴動する呼出音により、来訪者からの呼出しを確認した室内の居住者が送受話器５を取上げると、フックスイッチ５４が切替えられ、送受話器検出回路５５からフックアップ検出信号が出力され、このフックアップ検出信号がカールコードＬ２を介して室内親機ＣＰＵ３９へ送出される。そうすると、室内親機ＣＰＵ３９から切替信号が出力され、この切替信号が通話路切替スイッチ３２へ送出され、この切替信号に基づいて通話路切替スイッチ３２が第２の端子３２ｂ側、すなわち親機モジュラージャック４１側に接続される。これにより、電源供給回路３１からカールコードＬ２を介して送受話器５の送受話器ハイブリット回路５３、送受話器スピーカ５１および送受話器マイク５２に電源が供給される。
【００２７】
これにより、カールコードＬ２、通話路切替スイッチ３２および幹線Ｌ１を介して、送受話器スピーカ５１および送受話器マイク５２と子機スピーカ１１および子機マイク１２間で通話路が形成され、送受話器を用いた通話が成立する。
【００２８】
尚、上述した状態において次の来訪者が呼出ボタン１４を押下したとき親機通話ボタン４０を押下すれば室内親機ＣＰＵ３９の制御によって通話路切替スイッチ３２が第1の端子３２ａ側に切替えられ、ハンズフリー通話に再度切換えることができる。
【００２９】
【発明の効果】
以上の説明から明らかなように、本発明のインターホン装置によれば、ハンズフリードアホンとして拡声状態で通話するインターホン装置に、送受話器を後付けすることができることから、占有スペースの制限等から室内親機の前面に家具類を設置した場合や室内の居住者が高齢により難聴になった場合等においても、送受話器を取上げることで来訪者の音声を容易に聞き取ることができる。
【図面の簡単な説明】
【図１】  本発明のインターホン装置の一実施例を示すブロック図。
【図２】  従来のインターホン装置の一実施例を示すブロック図。
【符号の説明】
１…玄関子機
３…室内親機
３２…通話路切替スイッチ
３３…ボイススイッチ
３９…室内親機ＣＰＵ
４１…親機モジュラージャック
５…送受話器
５６…送受話器モジュラージャック
５３…ハイブリット回路（送受話器ハイブリット回路）
５４…フックスイッチ
５５…検出回路（送受話器検出回路）
【図１】
0004414108.tif 000002
【図２】
0004414108.tif 000003